(57)【特許請求の範囲】
【請求項１】
告知放送信号を受信する受信手段と、
前記受信手段が告知放送信号を受信した場合に、当該受信した告知放送信号の入力レベルを検出する検出手段と、
前記検出手段が前記告知放送信号の入力レベルを検出した後、当該検出した告知放送信号の入力レベルに関する情報を記号で表示する表示手段とを備え、
前記表示手段は、
前記検出手段にて検出された前記告知放送信号の入力レベルが所定の適正レベルの範囲内である場合に、当該告知放送信号の入力レベルを数字で表示し、前記検出手段にて検出された前記告知放送信号の入力レベルが前記所定の適正レベルの範囲外である場合に、その旨を数字以外の記号のみで表示する、
告知放送用受信機。
【請求項２】
前記表示手段は、
当該告知放送用受信機の電源がＯＮ状態になった場合に、前記検出手段にて検出された前記告知放送信号の入力レベルに関する情報を所定時間表示する、
請求項１に記載の告知放送用受信機。
【請求項３】
前記受信手段が告知放送信号以外の信号を受信した場合に、その旨を数字以外の記号、かつ前記告知放送信号の入力レベルを表示する記号以外の記号で表示する、
請求項１又は２に記載の告知放送用受信機。
【請求項４】
告知放送信号を受信する受信手段と、
前記受信手段が告知放送信号を受信した場合に、当該受信した告知放送信号の入力レベルを検出する検出手段と、
前記検出手段が前記告知放送信号の入力レベルを検出した後、当該検出した告知放送信号の入力レベルに関する情報を記号で表示する表示手段とを備え、
前記表示手段は、
前記告知放送信号の入力レベルに基づいて定められた複数の位置の中の前記検出手段にて検出された前記告知放送信号の入力レベルに対応する位置に数字以外の記号を表示することにより、当該告知放送信号の入力レベルを表示し、
当該告知放送用受信機の電源がＯＮ状態になった場合に、前記検出手段にて検出された前記告知放送信号の入力レベルに関する情報を所定時間表示する、
告知放送用受信機。
【請求項５】
告知放送信号を受信する受信手段と、
前記受信手段が告知放送信号を受信した場合に、当該受信した告知放送信号の入力レベルを検出する検出手段と、
前記検出手段が前記告知放送信号の入力レベルを検出した後、当該検出した告知放送信号の入力レベルに関する情報を記号で表示する表示手段とを備え、
前記表示手段は、
前記告知放送信号の入力レベルに基づいて定められた複数の位置の中の前記検出手段にて検出された前記告知放送信号の入力レベルに対応する位置に数字以外の記号を表示することにより、当該告知放送信号の入力レベルを表示し、
前記受信手段が告知放送信号以外の信号を受信した場合に、その旨を数字以外の記号、かつ前記告知放送信号の入力レベルを表示する記号以外の記号で表示する、
告知放送用受信機。
【請求項６】
前記検出手段にて検出された前記告知放送信号の入力レベルを記憶する記憶手段を備え、
前記表示手段は、
前記記憶手段にて記憶された前記告知放送信号の入力レベルに関する情報を、当該入力レベルが前記記憶手段に記憶されたタイミングに基づいて所定順序で表示する、
請求項１から５のいずれか一項に記載の告知放送用受信機。
【請求項７】
前記告知放送信号及びラジオ放送信号を受信し、
前記検出手段は、
前記受信手段がラジオ放送信号を受信した場合に、当該受信したラジオ放送信号の入力レベルを検出し、
前記表示手段は、
前記検出手段が前記ラジオ放送信号の入力レベルを検出した後、当該検出したラジオ放送信号の入力レベルに関する情報を記号で表示する、
請求項１から６のいずれか一項に記載の告知放送用受信機。
【請求項８】
前記表示手段は、１桁の７セグメント表示を行う７セグメントＬＥＤからなる、
請求項１から７のいずれか一項に記載の告知放送用受信機。
【発明の詳細な説明】
【技術分野】
【０００１】
本発明は、告知放送を受信する告知放送用受信機に関する。
【背景技術】
【０００２】
センターから複数の住戸に対して各種の告知放送を行うための告知放送システムが普及している。この告知放送システムは、概略的に、センター側に配置したセンター装置と、各住戸内に設置した受信機とを、ＣＡＴＶ等の伝送線路を介して相互に接続して構成されている。そして、地域のイベント開催又はＦＭラジオ放送等の一般放送や、火災や地震が発生した時の緊急放送を行う際、センター装置は告知放送信号を伝送線路を介して送信し、この告知放送信号を受信機が受信して、告知放送をスピーカにて音声出力する（例えば、特許文献１参照）。
【０００３】
この告知放送システムにおける受信機は、センター装置から告知放送信号を受信する受信部、当該受信部にて受信された告知放送信号の入力レベル（以下、ＲＦレベルと称す）を検出する検出部、当該検出部にて検出された告知放送信号のＲＦレベルが、所定レベルを下回るか否かを判定する判定部、及び一般放送時に点灯又は点滅する表示灯を備えて構成されていた。例えば、検出部が受信部にて受信された告知放送信号のＲＦレベルを検出し、当該検出部にて検出された告知放送信号のＲＦレベルが所定レベルを下回ると判定部が判定した場合に、この受信機は、表示灯を点滅させることにより、その旨をユーザに対して提示していた。
【先行技術文献】
【特許文献】
【０００４】
【特許文献１】特開平９−８７５３号公報（段落００１４、００１５）
【発明の概要】
【発明が解決しようとする課題】
【０００５】
しかしながら、上述の如き従来の告知放送システムにおける受信機は、検出部にて検出された告知放送信号のＲＦレベルが所定レベルを下回った旨を、表示灯の点滅によって提示することができるものの、さらに告知放送信号のＲＦレベルの詳細な情報をユーザに提示することができなかった。
【０００６】
本発明は、上記に鑑みてなされたものであって、告知放送信号の入力レベルの詳細な情報を、ユーザに対して提示することができる、告知放送用受信機を提供することを目的とする。
【課題を解決するための手段】
【０００７】
上述した課題を解決し、目的を達成するために、請求項１に記載の告知放送用受信機は、告知放送信号を受信する受信手段と、前記受信手段が告知放送信号を受信した場合に、当該受信した告知放送信号の入力レベルを検出する検出手段と、前記検出手段が前記告知放送信号の入力レベルを検出した後、当該検出した告知放送信号の入力レベルに関する情報を記号で表示する表示手段とを備え、前記表示手段は、前記検出手段にて検出された前記告知放送信号の入力レベルが所定の適正レベルの範囲内である場合に、当該告知放送信号の入力レベルを数字で表示し、前記検出手段にて検出された前記告知放送信号の入力レベルが前記所定の適正レベルの範囲外である場合に、その旨を数字以外の記号のみで表示する。
【０００９】
請求項２に記載の告知放送用受信機は、請求項１に記載の告知放送用受信機において、前記表示手段は、当該告知放送用受信機の電源がＯＮ状態になった場合に、前記検出手段にて検出された前記告知放送信号の入力レベルに関する情報を所定時間表示する。
【００１０】
また、請求項３に記載の告知放送用受信機は、請求項１又は２に記載の告知放送用受信機において、前記受信手段が告知放送信号以外の信号を受信した場合に、その旨を数字以外の記号、かつ前記告知放送信号の入力レベルを表示する記号以外の記号で表示する。
【００１１】
また、請求項４に記載の告知放送用受信機は、告知放送信号を受信する受信手段と、前記受信手段が告知放送信号を受信した場合に、当該受信した告知放送信号の入力レベルを検出する検出手段と、前記検出手段が前記告知放送信号の入力レベルを検出した後、当該検出した告知放送信号の入力レベルに関する情報を記号で表示する表示手段とを備え、前記表示手段は、前記告知放送信号の入力レベルに基づいて定められた複数の位置の中の前記検出手段にて検出された前記告知放送信号の入力レベルに対応する位置に数字以外の記号を表示することにより、当該告知放送信号の入力レベルを表示し、当該告知放送用受信機の電源がＯＮ状態になった場合に、前記検出手段にて検出された前記告知放送信号の入力レベルに関する情報を所定時間表示する。
【００１２】
また、請求項５に記載の告知放送用受信機は、告知放送信号を受信する受信手段と、前記受信手段が告知放送信号を受信した場合に、当該受信した告知放送信号の入力レベルを検出する検出手段と、前記検出手段が前記告知放送信号の入力レベルを検出した後、当該検出した告知放送信号の入力レベルに関する情報を記号で表示する表示手段とを備え、前記表示手段は、前記告知放送信号の入力レベルに基づいて定められた複数の位置の中の前記検出手段にて検出された前記告知放送信号の入力レベルに対応する位置に数字以外の記号を表示することにより、当該告知放送信号の入力レベルを表示し、前記受信手段が告知放送信号以外の信号を受信した場合に、その旨を数字以外の記号、かつ前記告知放送信号の入力レベルを表示する記号以外の記号で表示する。
【００１３】
また、請求項６に記載の告知放送用受信機は、請求項１から５のいずれか一項に記載の告知放送用受信機において、前記検出手段にて検出された前記告知放送信号の入力レベルを記憶する記憶手段を備え、前記表示手段は、前記記憶手段にて記憶された前記告知放送信号の入力レベルに関する情報を、当該入力レベルが前記記憶手段に記憶されたタイミングに基づいて所定順序で表示する。
【００１４】
また、請求項７に記載の告知放送用受信機は、請求項１から６のいずれか一項に記載の告知放送用受信機において、前記告知放送信号及びラジオ放送信号を受信し、前記検出手段は、前記受信手段がラジオ放送信号を受信した場合に、当該受信したラジオ放送信号の入力レベルを検出し、前記表示手段は、前記検出手段が前記ラジオ放送信号の入力レベルを検出した後、当該検出したラジオ放送信号の入力レベルに関する情報を記号で表示する。
また、請求項８に記載の告知放送用受信機は、請求項１から７のいずれか一項に記載の告知放送用受信機において、前記表示手段は、１桁の７セグメント表示を行う７セグメントＬＥＤからなる。
【発明の効果】
【００１５】
請求項１に記載の告知放送用受信機によれば、表示手段は、検出手段が告知放送信号の入力レベルを検出した後、当該告知放送信号の入力レベルに関する情報を記号で表示するので、ユーザに対して告知放送信号の入力レベルに関する情報を識別可能に提示でき、告知放送信号の入力レベルに関する情報をユーザが容易に確認できる。
また、表示手段は、検出手段にて検出された告知放送信号の入力レベルが所定の適正レベルの範囲内である場合に、当該告知放送信号の入力レベルを数字で表示し、検出手段にて検出された告知放送信号の入力レベルが所定の適正レベルの範囲外である場合に、その旨を数字以外の記号のみで表示するので、ユーザに対して告知放送信号の入力レベルの違いを一層識別可能に提示できると共に、告知放送信号の入力レベルが所定の適正レベルの範囲内であるか否かを容易に識別でき、告知放送信号の入力レベルに関する情報をユーザが一層容易に確認できる。
【００１７】
また、請求項２に記載の告知放送用受信機によれば、表示手段は、当該告知放送用受信機の電源がＯＮ状態になった場合に、検出手段にて検出された告知放送信号の入力レベルに関する情報を所定時間表示するので、ユーザに対して告知放送信号の入力レベルに関する情報を確認させることができ、告知放送信号の異常に対してユーザが迅速な措置をとることができる。
【００１８】
また、請求項３に記載の告知放送用受信機によれば、表示手段は、受信手段が告知放送信号以外の信号を受信した場合に、その旨を数字以外の記号、かつ告知放送信号の入力レベルを表示する記号以外の記号で表示するので、ユーザに対して告知放送信号等以外の信号を受信したことを識別可能に提示でき、告知放送信号の入力レベルに関する情報以外の情報をユーザが容易に確認できる。
【００１９】
また、請求項４に記載の告知放送用受信機によれば、表示手段は、検出手段が告知放送信号の入力レベルを検出した後、当該告知放送信号の入力レベルに関する情報を記号で表示するので、ユーザに対して告知放送信号の入力レベルに関する情報を識別可能に提示でき、告知放送信号の入力レベルに関する情報をユーザが容易に確認できる。また、表示手段は、告知放送信号の入力レベルに基づいて定められた複数の位置の中の検出手段にて検出された告知放送信号の入力レベルに対応する位置に数字以外の記号を表示することにより、当該告知放送信号の入力レベルを表示するので、告知放送信号の入力レベルの違いを一層識別可能に提示でき、告知放送信号の入力レベルに関する情報をユーザが一層容易に確認できる。また、表示手段は、当該告知放送用受信機の電源がＯＮ状態になった場合に、検出手段にて検出された告知放送信号の入力レベルに関する情報を所定時間表示するので、ユーザに対して告知放送信号の入力レベルに関する情報を確認させることができ、告知放送信号の異常に対してユーザが迅速な措置をとることができる。
【００２０】
また、請求項５に記載の告知放送用受信機によれば、表示手段は、検出手段が告知放送信号の入力レベルを検出した後、当該告知放送信号の入力レベルに関する情報を記号で表示するので、ユーザに対して告知放送信号の入力レベルに関する情報を識別可能に提示でき、告知放送信号の入力レベルに関する情報をユーザが容易に確認できる。また、表示手段は、告知放送信号の入力レベルに基づいて定められた複数の位置の中の検出手段にて検出された告知放送信号の入力レベルに対応する位置に数字以外の記号を表示することにより、当該告知放送信号の入力レベルを表示するので、告知放送信号の入力レベルの違いを一層識別可能に提示でき、告知放送信号の入力レベルに関する情報をユーザが一層容易に確認できる。また、表示手段は、受信手段が告知放送信号以外の信号を受信した場合に、その旨を数字以外の記号、かつ告知放送信号の入力レベルを表示する記号以外の記号で表示するので、ユーザに対して告知放送信号等以外の信号を受信したことを識別可能に提示でき、告知放送信号の入力レベルに関する情報以外の情報をユーザが容易に確認できる。
【００２１】
また、請求項６に記載の告知放送用受信機によれば、表示手段は、告知放送信号の入力レベルが記憶手段に記憶されたタイミングに基づいて、当該記憶手段に記憶された告知放送信号の入力レベルに関する情報を所定順序で表示するので、ユーザに対して告知放送信号の入力レベルに関する情報の所定時間ごとの変動を提示することができ、告知放送信号の異常が生じた時期を特定することができる。
【００２２】
また、請求項７に記載の告知放送用受信機によれば、表示手段は、検出手段がラジオ放送信号の入力レベルを検出した後、当該ラジオ放送信号の入力レベルに関する情報を記号で表示するので、ユーザに対してラジオ放送信号の入力レベルに関する情報を識別可能に提示でき、ラジオ放送信号の入力レベルに関する情報をユーザが容易に確認できる。
また、請求項８に記載の告知放送用受信機によれば、表示手段は、１桁の７セグメント表示を行う７セグメントＬＥＤからなるので、表示手段をシンプルかつ安価に構成することができ、当該告知放送用受信機の外観の維持や低コスト化を図ることができる。
【図面の簡単な説明】
【００２３】
【図１】告知放送システムの構成を示すブロック図である。
【図２】ＲＦレベル履歴テーブルに格納される情報の内容を例示した表である。
【図３】設置壁Ｗに固定された告知放送用受信機を示す斜視図である。
【図４】告知放送用受信機を示す図であり、（ａ）は正面図、（ｂ）は底面図である。
【図５】告知放送用受信機が実行する表示処理のフローチャートである。
【図６】ＲＦレベル表示処理のフローチャートである。
【図７】履歴表示処理のフローチャートである。
【発明を実施するための形態】
【００２４】
以下に添付図面を参照して、この発明に係る告知放送用受信機の各実施の形態を詳細に説明する。最初に、この告知放送用受信機を備えて構成された告知放送システムの全体構成を説明し、次に、告知放送用受信機の構成を説明し、告知放送用受信機が実行する表示処理、及び履歴表示処理について説明し、最後に本実施の形態に対する変形例について説明する。ただし、この実施の形態によって本発明が限定されるものではない。なお、各実施の形態に係る告知放送用受信機の設置対象や適用対象は任意であるが、以下では、住戸の屋内に設置された告知放送用受信機に適用した場合を例として説明を行う。
【００２５】
〔実施の形態〕
まず実施の形態について説明する。
【００２６】
（構成）
最初に、本実施の形態に係る告知放送システムの構成を説明する。図１は告知放送システムの構成を示すブロック図である。図１に示すように、告知放送システム１は、センター側に配置されたセンター装置２、各住戸に配置された告知放送用受信機３、及びセンター装置２から送信された信号を告知放送用受信機３に送信する伝送系統９を備えて構成されている。このうち、センター装置２は告知放送信号を送信するものであり、公知のセンター装置と同様に構成することができる。また、伝送系統９は、ヘッドエンド９０、このヘッドエンド９０から各住戸の告知放送用受信機３に至る伝送線路９１、さらに、この伝送線路９１に配置された、アンプ９２、分配増幅器９３、分配器９４、及び保安器９５を備えて構成されている。ヘッドエンド９０は、センター装置２から送信された信号を受信し、この信号をレベル増幅した上で伝送線路９１に送出する増幅送信手段である。伝送線路９１は、告知放送信号を送信する送信線路であり、例えば、ＣＡＴＶ信号を伝送するＣＡＴＶ伝送線路（同軸ケーブル）を備えて構成される。アンプ９２は、伝送線路９１を流れる信号を増幅する増幅手段である。分配増幅器９３は、信号を増幅した上で、各住戸に向けて分配する分配増幅手段である。分配器９４は、分配増幅器９３にて増幅された信号を各住戸に向けて分配する分配手段である。保安器９５は、各住戸に設けられ、伝送線路９１に乗って受信機に至る直流成分を制御する。なお、特記する構成を除き、センター装置２、告知放送用受信機３、及び伝送系統９は、公知の装置又はシステムと同様に構成することができる。
【００２７】
（構成−告知放送用受信機）
次に、告知放送用受信機３の電気的構成について説明する。図１に示したように、告知放送用受信機３は、受信部３０、告知再生スイッチ３１、ラジオ再生スイッチ３２、音声切換え部３３、音量調整部３４、アンプ３５、スピーカ３６、表示部３７、制御部３８、音声情報格納部３９、及び受信状態記録部４０を備えている。
【００２８】
受信部３０は、センター装置２から送信された告知放送信号を復調する告知放送復調手段であり、告知放送信号に含まれる音声情報を音声切換え部３３に出力すると共に、告知放送信号に含まれる制御情報（例えば告知放送が緊急放送又は一般放送の何れかを特定する情報等）を制御部３８に出力する。また、受信部３０は、後述するアンテナを介してラジオ放送信号を受信し、当該ラジオ放送信号に含まれる音声情報を音声切換え部３３に出力する。また、受信部３０は、図示しない検波Ｉｎｔｅｇｒａｔｅｄ  Ｃｉｒｃｕｉｔ（以下検波ＩＣと称す）を備えて構成されている。この図示しない検波ＩＣは、受信部３０がセンター装置２から告知放送信号を受信した場合に、当該受信した告知放送信号のＲＦレベルを検出し、又は後述するアンテナを介してラジオ放送信号を受信した場合に、当該受信したラジオ放送信号のＲＦレベルを検出する検出手段である。また、この図示しない検波ＩＣは、検出した告知放送信号又はラジオ放送信号のＲＦレベルに応じたＤＣ電圧を制御部３８に出力する（あるいは、この図示しない検波ＩＣ以外の部品（例えば図示しないＡＧＣ（Ａｕｔｏｍａｔｉｃ Ｇａｉｎ Ｃｏｎｔｒｏｌ）が検波した際のＤＣ電圧を取得する）。これにより、制御部３８は図示しない検波ＩＣから出力されたＤＣ電圧を後述する取り込み、当該取り込んだＤＣ電圧の大きさに基づいて後述する受信状態記録部４０に告知放送信号又はラジオ放送信号の入力レベルに関する情報を記憶させたり、又は後述する状態表示部３７ｄによって告知放送信号又はラジオ放送信号の入力レベルに関する情報を表示させることができる。なお、この受信部３０は、特許請求の範囲における受信手段に対応するものである。
【００２９】
告知再生スイッチ３１は、音声情報格納部３９に格納された音声情報の出力に関する操作入力を受け付ける。この告知再生スイッチ３１は、例えば押しボタン型のスイッチを備えて構成される。例えば、音声情報格納部３９に格納された音声情報の出力がされていない場合に告知再生スイッチ３１が押下されると、当該操作を音声情報格納部３９に格納された音声情報の出力指示として受け付ける。また、音声情報格納部３９に格納された音声情報の出力がされている場合に告知再生スイッチ３１が押下されると、当該操作を音声情報格納部３９に格納された音声情報の出力の停止指示として受け付ける。また、告知再生スイッチ３１が所定時間（例えば３ｓｅｃ）以上押下されると、後述する受信状態記録部４０に記憶された告知放送信号又はラジオ放送信号のＲＦレベルの履歴表示指示として受け付ける。
【００３０】
ラジオ再生スイッチ３２は、ラジオ放送信号に含まれる音声情報の出力に関する操作入力を受け付ける操作手段である。このラジオ再生スイッチ３２は、告知再生スイッチ３１と同様に、例えば押しボタン型のスイッチを備えて構成される。例えば、ラジオ放送信号に含まれる音声情報の出力がされていない場合にラジオ再生スイッチ３２が押下されると、当該操作をラジオ放送信号に含まれる音声情報の出力指示として受け付ける。また、ラジオ放送信号に含まれる音声情報の出力がされている場合にラジオ再生スイッチ３２が１回押下されると、当該操作を、予め設定されているラジオ放送信号の受信チャンネルを一つずらす変更指示として受け付ける。また、ラジオ放送信号に含まれる音声情報の出力がされている場合にラジオ再生スイッチ３２が所定時間（例えば３ｓｅｃ）以上押下されると、当該操作をラジオ放送信号に含まれる音声情報の出力の停止指示として受け付ける。
【００３１】
音声切換え部３３は、受信部３０から出力された音声情報を音量調整部３４又は音声情報格納部３９に出力し、あるいは、音声情報格納部３９から出力された音声情報を音量調整部３４に出力する音声切換え手段である。
【００３２】
音量調整部３４は、音声切換え部３３から出力された音声情報の音量を調整してアンプ３５に出力する。この音声情報は、アンプ３５にて増幅された後、スピーカ３６から出力される。このスピーカ３６は、音声を出力する出力手段である。
【００３３】
表示部３７は、告知放送用受信機３に関する情報を表示するためのものであり、電源表示灯３７ａ、緊急放送表示灯３７ｂ、一般放送表示灯３７ｃ、状態表示部３７ｄ、告知再生表示灯３７ｅ、及びラジオ再生表示灯３７ｆを備えている。このうち、電源表示灯３７ａは告知放送用受信機３の電源ＯＮ時に点灯する。また、緊急放送表示灯３７ｂは緊急放送時に点灯又は点滅する。また、一般放送表示灯３７ｃは一般放送時に点灯又は点滅する。また、状態表示部３７ｄは、受信部３０にて受信された各種信号の受信状態、受信部３０にて受信されているラジオ放送信号の受信チャンネル、又は音声情報格納部３９における音声情報の格納状態を記号で表示する表示手段であり、例えば公知の１桁の７セグメント表示及びドット表示を行う７セグメントＬＥＤを備えて構成される。ここで、「記号」とは、所定の内容を表すために用いられる文字、数字、符号、マーク、図形等を含むものである。また、告知再生表示灯３７ｅ及びラジオ再生表示灯３７ｆは、制御部３８の制御に基づき発行する発光手段であり、例えばＬＥＤ（Ｌｉｇｈｔ  Ｅｍｉｔｔｉｎｇ  Ｄｉｏｄｅ）を備えて構成される。
【００３４】
制御部３８は、告知放送用受信機３の各部を制御する制御手段であり、具体的には、ＣＰＵ（例えばマイコン）、当該ＣＰＵ上で解釈実行される各種のプログラム（ＯＳなどの基本制御プログラムや、ＯＳ上で起動され特定機能を実現するアプリケーションプログラムを含む）、及びプログラムや各種の制御データを格納するためのＲＡＭの如き内部メモリを備えて構成されるコンピュータである。この制御部３８によって実行される処理の詳細については後述する。
【００３５】
音声情報格納部３９は、受信部３０が受信した告知放送信号に含まれる音声情報を格納する音声情報格納手段である。この音声情報格納手段に格納される音声情報には、例えば当該音声情報を含む告知放送信号を受信部３０が受信した日時を特定する受信日時情報や、音声情報格納手段に格納された後に当該音声情報が再生されたか否かを特定する再生情報が、例えばヘッダ情報として付加される。この音声情報格納部３９は、書き換え可能な記録媒体を用いて構成され、例えば、フラッシュメモリ等の不揮発性記録媒体を備えて構成される（後述する受信状態記録部４０についても同様）。
【００３６】
受信状態記録部４０は、受信部３０における告知放送信号又はラジオ放送信号の受信状態（例えば告知放送信号又はラジオ放送信号のＲＦレベル）を記憶する記録手段である。この受信状態記録部４０は、状態表示部３７ｄが告知放送信号又はラジオ放送信号のＲＦレベルを所定順序で表示する際に参照するためのＲＦレベル履歴テーブル４０ａを備えて構成されている。図２は、ＲＦレベル履歴テーブル４０ａに格納される情報の内容を例示した表である。図２に示すように、ＲＦレベル履歴テーブル４０ａには、テーブル項目「経過日数」、「告知放送信号のＲＦレベル」、及び「ラジオ放送信号のＲＦレベル」に対応する情報が相互に関連付けて格納される。項目「経過日数」に対応して格納される情報は、受信状態記録部４０に告知放送信号又はラジオ放送信号のＲＦレベルが記憶されてからの経過日数情報であり、例えば「０日」、「１日」、「２日」等）が格納される。項目「告知放送信号のＲＦレベル」に対応して格納される情報は、告知放送信号のＲＦレベルを特定する情報であり、例えば、「３６ｄＢ」、「４１ｄＢ」、「４７ｄＢ」等が格納される。項目「ラジオ放送信号のＲＦレベル」に対応して格納される情報は、ラジオ放送信号のＲＦレベルを特定する情報であり、「２５ｄＢ」、「４２ｄＢ」、「３６ｄＢ」等が格納される。なお、ＲＦレベル履歴テーブル４０ａに格納される各種の情報は、例えば後述する表示処理のＳＡ７又はＳＡ１２の処理によって格納される。
【００３７】
続いて、告知放送用受信機３の基本構成について説明する。図３は設置壁Ｗに固定された告知放送用受信機３を示す斜視図である。図４は、告知放送用受信機３を示す図であり、（ａ）は正面図、（ｂ）は底面図である。これら図３及び図４（ａ）、（ｂ）に示すように、告知放送用受信機３は、筐体４１の内部に図示しない各種の電子部品等を収容して構成されている。この筐体４１は、正面カバー４１ａと背面カバー４１ｂとを組み合わされて構成されている。正面カバー４１ａと背面カバー４１ｂの接続方法は任意であるが、例えば、正面カバー４１ａと背面カバー４１ｂは嵌合やネジ留めにて接続することができる。
【００３８】
図４（ａ）に示すように、この筐体４１の正面には、上述した告知再生スイッチ３１、ラジオ再生スイッチ３２、及び表示部３７の他、ボリュームスイッチ３４ａが設けられている。ボリュームスイッチ３４ａは、放送音量を調節するためのものである。また、筐体４１の内部においては、告知再生スイッチ３１の近傍には告知再生表示灯３７ｅが設置され、ラジオ再生スイッチ３２の近傍にはラジオ再生表示灯３７ｆが設置されている。告知再生スイッチ３１やラジオ再生スイッチ３２を光を透過する材料を用いて形成したり、告知再生スイッチ３１やラジオ再生スイッチ３２に光を透過させる透過孔を設けることにより、告知再生表示灯３７ｅやラジオ再生表示灯３７ｆから発せられた光を筐体４１の外部に透過させることができる。また、筐体４１の正面には、筐体４１の内部に設けたスピーカ３６から出力された音を、当該筐体４１の外部に放出するための音響孔４２が設けられている。
【００３９】
また、図４（ａ）、（ｂ）に示すように、筐体４１の左側面には、ＦＭラジオ等の電波を受信するためのアンテナ５１が設けられている。従って、告知放送がセンター装置２から受信できない状況であっても、アンテナ５１にてＦＭラジオ等を受信することができる。
【００４０】
（処理）
次に、このように構成された告知放送用受信機３が実行する処理について説明する。告知放送用受信機３によって実行される処理は、受信部３０が受信した告知放送信号又はラジオ放送信号の入力レベルに関する情報を状態表示部３７ｄに表示する表示処理、及び受信状態記録部４０に記憶された告知放送信号又はラジオ放送信号のＲＦレベルに応じた入力レベルに関する情報を所定順序で表示する履歴表示処理に大別される。以下、これらの処理について説明する。
【００４１】
（表示処理）
最初に、告知放送用受信機３が実行する表示処理について説明する。図５は、告知放送用受信機３が実行する表示処理のフローチャートである。なお、以下の説明では、「ステップ」を「Ｓ」と略記する。この表示処理の実行タイミングは任意で、例えば表示処理は告知放送用受信機３の電源が投入された場合に実行される。
【００４２】
図５に示すように、まず、制御部３８は受信部３０が告知放送信号又はラジオ放送信号を受信しているか否かを監視する（ＳＡ１）。その結果、受信部３０が告知放送信号又はラジオ放送信号を受信していない場合（ＳＡ１、Ｎｏ）、制御部３８は受信部３０が告知放送信号又はラジオ放送信号以外の信号を受信しているか否かを監視する（ＳＡ２）。ここで、受信部３０が告知放送信号又はラジオ放送信号以外の信号を受信していない場合（ＳＡ２、Ｎｏ）、制御部３８は、ＳＡ１に移行する。
【００４３】
一方、受信部３０が告知放送信号又はラジオ放送信号以外の信号を受信した場合（ＳＡ２、Ｙｅｓ）、制御部３８は、告知放送信号又はラジオ放送信号以外の信号を受信した旨を、状態表示部３７ｄによって表示させる（ＳＡ３）。ここで、「告知放送信号又はラジオ放送信号以外の信号」とは、ペアで受信すべき制御データ、制御部３８の内部メモリに格納されていない制御データ、予期せぬ制御データ等を含むものである。ペアで受信すべき制御データは、例えば告知放送信号の放送開始を制御するための制御データ、及び告知放送信号の放送終了を制御するための制御データ等が該当する。また、制御部３８の内部メモリに格納されていない制御データは、例えばデータの全部又は一部が化けた制御データ等が該当する。また、予期せぬ制御データは、例えば告知放送用受信機３０にて現在用いられていないヴァージョンの制御データ等が該当する。
【００４４】
この状態表示部３７ｄの告知放送信号又はラジオ放送信号以外の信号を受信した旨を表示する方法は任意であり、例えば、数字以外の記号、かつ後述する第２の表示方法にて用いられる告知放送信号又はラジオ放送信号のＲＦレベルを表示する記号以外の記号によって、告知放送信号又はラジオ放送信号の入力レベルに関する情報を表示する方法がある。具体的には、受信部３０がペアで受信すべき制御データのうちの一方の制御データを受信した場合、制御部３８は当該受信した一方の制御データを当該制御部３８の内部メモリに格納させると共に、受信部３０はもう一方の制御データの受信を監視する。その後、受信部３０が監視状態になってから所定時間経過しても、当該受信部３０がもう一方の制御データを受信できない場合、制御部３８は状態表示部３７ｄによって「Ｃ」を表示させる。また、受信部３０が制御部３８の内部メモリに格納されていない制御データを受信した場合、制御部３８は状態表示部３７ｄによって「Ｆ」を表示させる。また、受信部３０が予期せぬ制御データを受信した場合、制御部３８は状態表示部３７ｄによって「Ｕ」を表示させる。これにより、ユーザに対して告知放送信又はラジオ放送信号以外の信号を受信した旨を識別可能に提示できる。なお、ＳＡ３の処理後、制御部３８は、ＳＡ１に移行する。
【００４５】
一方で、受信部３０が告知放送信号又はラジオ放送信号を受信した場合（ＳＡ１、Ｙｅｓ）、制御部３８は受信部３０がラジオ放送信号を受信しているか否かを監視する（ＳＡ４）。ここで、受信部３０がラジオ放送信号を受信した場合（ＳＡ４、Ｙｅｓ）、制御部３８は、受信部３０にて受信されているラジオ放送信号の受信チャンネルを、状態表示部３７ｄによって表示させる（ＳＡ５）。
【００４６】
次に、受信部３０がラジオ放送信号を受信していない場合（ＳＡ４、Ｎｏ）、又はＳＡ５にて状態表示部３７ｄにラジオ放送信号の受信チャンネルが表示された場合、制御部３８は、受信部３０にて受信された告知放送信号又はラジオ放送信号のＲＦレベルを、受信部３０の図示しない検波ＩＣによって検出させる（ＳＡ６）。次いで、制御部３８は、ＳＡ６にて受信部３０の図示しない検波ＩＣにて検出された告知放送信号又はラジオ放送信号のＲＦレベルを受信状態記録部４０に記憶させ（ＳＡ７）、ＲＦレベル表示処理を所定時間（例えば５ｓｅｃ）経過するまで実行する（ＳＡ８）（ＳＡ９）。
【００４７】
ここで、ＲＦレベル表示処理について説明する。図６は、ＲＦレベル表示処理のフローチャートである。図６に示すように、まず、制御部３８が、ＳＡ７にて受信状態記録部４０に記憶された告知放送信号又はラジオ放送信号のＲＦレベルを取得する（ＳＢ１）。次いで、制御部３８は、受信状態記録部４０から取得された告知放送信号又はラジオ放送信号のＲＦレベルが、標準入力レベルの範囲内であるか否かを判定する（ＳＢ２）。ここで、「標準入力レベルの範囲」とは、安定した放送が受信できるＲＦレベルの範囲（ここでは、告知放送信号又はラジオ放送信号のＲＦレベルが３５ｄＢ〜７５ｄＢの範囲）であり、特許請求の範囲における所定の適正レベルの範囲に対応するものである。
【００４８】
その結果、受信状態記録部４０から取得された告知放送信号又はラジオ放送信号のＲＦレベルが標準入力レベルの範囲内である場合（ＳＢ２、Ｙｅｓ）、制御部３８は、告知放送信号又はラジオ放送信号のＲＦレベルを、状態表示部３７ｄによって表示させる（ＳＢ３）。
【００４９】
一方、受信状態記録部４０から取得された告知放送信号又はラジオ放送信号のＲＦレベルが標準入力レベルの範囲内でない場合（ＳＢ２、Ｎｏ）、制御部３８は、告知放送信号又はラジオ放送信号のＲＦレベルが標準入力レベルの範囲外の旨を、状態表示部３７ｄによって表示させる（ＳＢ４）。
【００５０】
ここで、ＳＢ３及びＳＢ４の処理において、状態表示部３７ｄの告知放送信号又はラジオ放送信号の入力レベルに関する情報を表示する方法は任意であり、例えば、数字を含む記号を用いて、告知放送信号又はラジオ放送信号の入力レベルに関する情報を表示する方法（以下、第１の表示方法と称す）、あるいは、数字以外の記号を用いて、告知放送信号又はラジオ放送信号の入力レベルに関する情報を表示する方法（以下、第２の表示方法と称す）がある。
【００５１】
具体的には、第１の表示方法において、ＳＢ３の処理では、状態表示部３７ｄは告知放送信号又はラジオ放送信号のＲＦレベルの二桁目の数値と一桁目の数値を順次数字で表示する（例えば、ＲＦレベルが４５ｄＢの場合に、「４」「５」を順次表示する）。また、ＳＢ４の処理では、状態表示部３７ｄは、告知放送信号又はラジオ放送信号のＲＦレベルが標準入力レベルの範囲外の旨を数字以外の記号で表示する（例えば、ＲＦレベルが８５ｄＢの場合に、「Ｅ」を表示する）。
【００５２】
また、第２の表示方法において、ＳＢ３の処理では、状態表示部３７ｄは、当該状態表示部３７ｄにおける告知放送信号又はラジオ放送信号のＲＦレベルに基づいて定められた複数の位置のうち、受信部３０の図示しない検波ＩＣにて検出された告知放送信号又はラジオ放送信号のＲＦレベルに対応する位置に数字以外の記号を表示することにより、告知放送信号又はラジオ放送信号のＲＦレベルを表示する。例えば、状態表示部３７ｄが７セグメントＬＥＤである場合には、当該状態表示部３７ｄは、７セグメントに含まれる「＿」、「―」、「￣」の３つの横セグメントのうち、告知放送信号又はラジオ放送信号のＲＦレベルが標準入力レベルの範囲の下限値以上である場合に、横セグメントが最も低い場所に位置する「＿」を表示し、当該ＲＦレベルが標準入力レベルの範囲のほぼ中間値である場合に、横セグメントが真ん中に位置する「―」を表示し、当該ＲＦレベルが標準入力レベルの範囲の中間値以上であり上限値未満である場合に、横セグメントが最も高い場所に位置する「￣」を表示する（例えば、ＲＦレベルが３５ｄＢ以上４５ｄＢ未満の場合に、「＿」を表示し、ＲＦレベルが４５ｄＢ以上６０ｄＢ未満の場合に、「―」を表示し、ＲＦレベルが６０ｄＢ以上７５ｄＢ未満の場合に、「￣」を表示する）。また、ＳＢ４の処理では、状態表示部３７ｄが告知放送信号又はラジオ放送信号のＲＦレベルが標準入力レベルの範囲外の旨をＳＢ３にて用いられた記号以外の記号で表示する（例えば、ＲＦレベルが３５ｄＢ未満の場合に、当該ＲＦレベルが標準入力レベルの範囲の下限値未満であることを示す「Ｅ」を表示し、ＲＦレベルが７５ｄＢ以上の場合に、当該ＲＦレベルが標準入力レベルの範囲の上限値以上であることを示す「Ｅ．」を表示する）。
【００５３】
このように、上述した第１の表示方法又は第２の表示方法を用いて、状態表示部３７ｄが告知放送信号又はラジオ放送信号の入力レベルに関する情報を表示することで、告知放送信号又はラジオ放送信号のＲＦレベルの違いを識別可能に提示できると共に、当該告知放送信号又はラジオ放送信号のＲＦレベルが標準入力レベルの範囲内であるか否かを容易に識別できる。また、制御部３８が状態表示部３７ｄによって告知放送信号又はラジオ放送信号の入力レベルに関する情報を所定時間表示させるので、ユーザに対して告知放送信号又はラジオ放送信号の入力レベルに関する情報を確認させることができる。なお、ＳＢ３又はＳＢ４の処理後、ＲＦレベル表示処理が終了し、メインルーチンに戻る。
【００５４】
図５に戻り、ＳＡ９にて所定時間が経過した場合（ＳＡ９、Ｙｅｓ）、制御部３８は、後述する履歴表示処理で用いられる告知放送信号又はラジオ放送信号のＲＦレベルを受信状態記録部４０に所定間隔ごとに記憶させるために、所定のタイミング（例えばＳＡ９の処理から１日）が到来するまで待機する（ＳＡ１０）。そして、所定のタイミングが到来した場合（ＳＡ１０、Ｙｅｓ）、制御部３８は、受信部３０にて受信された告知放送信号又はラジオ放送信号のＲＦレベルを、受信部３０の図示しない検波ＩＣによって検出させ（ＳＡ１１）、当該検出された告知放送信号又はラジオ放送信号のＲＦレベルを、受信状態記録部４０に記憶させる（ＳＡ１２）。
【００５５】
次に、制御部３８は、受信状態記録部４０に記憶されたＲＦレベルのうち、当該処理の直前に記憶された今回のＲＦレベルが、当該今回のＲＦレベルよりも１つ前に記憶された前回のＲＦレベルと比べて所定レベル以上（例えば１０ｄＢ以上）変動したか否かを判定する（ＳＡ１３）。
【００５６】
その結果、今回のＲＦレベルが前回のＲＦレベルと比べて所定レベル以上変動しなかった場合（ＳＡ１３、Ｎｏ）、制御部３８は、ＳＡ１０に移行する。
【００５７】
一方、今回のＲＦレベルが前回のＲＦレベルと比べて所定レベル以上変動した場合（ＳＡ１３、Ｙｅｓ）、制御部３８は、ＳＡ８と同様のＲＦレベル表示処理を所定時間（例えば５ｓｅｃ）経過するまで実行する（ＳＡ１４）（ＳＡ１５）。そして、所定時間が経過した後（ＳＡ１５、Ｙｅｓ）、制御部３８は、ＳＡ１０に移行する。
【００５８】
（処理−履歴表示処理）
次に、告知放送用受信機３が実行する履歴表示処理について説明する。図７は、告知放送用受信機３が実行する履歴表示処理のフローチャートである。この履歴表示処理の実行タイミングは任意で、例えば履歴表示処理は告知放送用受信機３の電源が投入された場合に実行される。
【００５９】
図７に示すように、制御部３８は、告知再生スイッチ３１がユーザ（通常は、告知放送用受信機３のメンテナンスを行う保安員等）から履歴表示指示を受け付けたか否かを監視する（ＳＣ１）。ここで、告知再生スイッチ３１が履歴表示指示を受け付けた場合（ＳＣ１、Ｙｅｓ）、制御部３８は、受信状態記録部４０に告知放送信号のＲＦレベルが記憶されているか否かを判定する（ＳＣ２）。
【００６０】
その結果、受信状態記録部４０に告知放送信号のＲＦレベルが記憶されている場合（ＳＣ２、Ｙｅｓ）、制御部３８は、当該受信状態記録部４０のＲＦレベル履歴テーブル４０ａに記憶された告知放送信号のＲＦレベル（ここでは、受信状態記録部４０に記録された告知放送信号のＲＦレベルのうち、本日分から９日前分の告知放送信号のＲＦレベル）を取得し（ＳＣ３）、当該取得した告知放送信号のＲＦレベルが受信状態記録部４０に記憶されたタイミングに基づいて、当該取得した告知放送信号のＲＦレベルに応じた入力レベルに関する情報を、状態表示部３７ｄによって所定順序で表示させる（ＳＣ４）。
【００６１】
ここで、制御部３８が告知放送信号の入力レベルに関する情報を、状態表示部３７ｄによって表示させる方法は任意であるが、例えば、制御部３８は、第１の表示方法又は第２の表示方法により、受信状態記録部４０から取得された告知放送信号のＲＦレベルに応じた入力レベルに関する情報を、状態表示部３７ｄによって、受信状態記録部４０に記憶されてからの経過日数の古い順に表示させる方法がある。
【００６２】
具体的には、第１の表示方法において、制御部３８は、状態表示部３７ｄによって、受信状態記録部４０に記憶されてからの経過日数を示す数字及びドットを組み合わせたものを表示させた後、告知放送信号のＲＦレベルを数字で順次表示させ、これらの表示を順に行わせる（図２の例の場合、「９．」、「５」、「０」、「８．」、「５」、「８」、「７．」、「６」、「８」、「６．」、「７」、「０」、「５．」、「６」、「７」、「４．」、「６」、「３」、「３．」、「５」、「１」、「２．」、「４」、「７」、「１．」、「４」、「１」、「０．」、「３」、「６」を順に表示する）。これにより、ユーザに対して告知放送信号の入力レベルに関する情報の１日毎の変動を提示することができる（後述するラジオ放送信号の入力レベルに関する情報についても同様）。
【００６３】
また、第２の表示方法において、制御部３８は、状態表示部３７ｄによって、受信状態記録部４０に記憶されてからの経過日数を示す数字及びドットを組み合わせたものを表示させた後、告知放送信号のＲＦレベルに基づいて定められた複数の位置の中の受信部３０の図示しない検波ＩＣにて検出された告知放送信号のＲＦレベルに対応する位置に数字以外の記号を表示させ、これらの表示を順に行わせる（図２の例の場合、「９．」、「―」、「８．」、「―」、「７．」、「￣」、「６．」、「￣」、「５．」、「￣」、「４．」、「￣」、「３．」、「―」、「２．」、「―」、「１．」、「＿」、「０．」、「＿」を順に表示する）（後述するラジオ放送信号の入力レベルに関する情報についても同様）。
【００６４】
一方、受信状態記録部４０に告知放送信号のＲＦレベルが記憶されていない場合（ＳＣ２、Ｎｏ）、制御部３８は、受信状態記録部４０が告知放送信号のＲＦレベルを記憶していない旨を、状態表示部３７ｄによって表示させる（ＳＣ５）。例えば、制御部３８は状態表示部３７ｄによって「Ｅ」を表示させる（後述するラジオ放送信号のＲＦレベルを記憶していない旨についても同様）。
【００６５】
ＳＣ４又はＳＣ５の処理後、制御部３８は、受信状態記録部４０にラジオ放送信号のＲＦレベルが記憶されているか否かを判定する（ＳＣ６）。その結果、受信状態記録部４０にラジオ放送信号のＲＦレベルが記憶されている場合（ＳＣ６、Ｙｅｓ）、制御部３８は、当該受信状態記録部４０からラジオ放送信号のＲＦレベルを取得し（ＳＣ７）、当該取得したラジオ放送信号のＲＦレベルが受信状態記録部４０に記憶されたタイミングに基づいて、当該取得したラジオ放送信号のＲＦレベルに応じた入力レベルに関する情報を、状態表示部３７ｄによって所定順序で表示させる（ＳＣ８）。
【００６６】
一方、受信状態記録部４０にラジオ放送信号のＲＦレベルが記憶されていない場合（ＳＣ６、Ｎｏ）、制御部３８は、受信状態記録部４０がラジオ放送信号のＲＦレベルを記憶していない旨を、状態表示部３７ｄによって表示させる（ＳＣ９）。そして、ＳＣ８又はＳＣ９の処理後、制御部３８は、履歴表示処理を終了する。
【００６７】
（効果）
このように実施の形態によれば、状態表示部３７ｄは、受信部３０の図示しない検波ＩＣが告知放送信号のＲＦレベルを検出した後、当該告知放送信号の入力レベルに関する情報を記号で表示するので、ユーザに対して告知放送信号の入力レベルに関する情報を識別可能に提示でき、告知放送信号の入力レベルに関する情報をユーザが容易に確認できる。
【００６８】
また、状態表示部３７ｄは、受信部３０の図示しない検波ＩＣにて検出された告知放送信号のＲＦレベルが標準入力レベルの範囲内である場合に、当該告知放送信号のＲＦレベルを数字で表示し、受信部３０の図示しない検波ＩＣにて検出された告知放送信号のＲＦレベルが標準入力レベルの範囲外である場合に、その旨を数字以外の記号で表示するので、ユーザに対して告知放送信号のＲＦレベルの違いを一層識別可能に提示できると共に、告知放送信号のＲＦレベルが標準入力レベルの範囲内であるか否かを容易に識別でき、告知放送信号の入力レベルに関する情報をユーザが一層容易に確認できる。
【００６９】
また、状態表示部３７ｄは、告知放送信号のＲＦレベルに基づいて定められた複数の位置の中の受信部３０の図示しない検波ＩＣにて検出された告知放送信号のＲＦレベルに対応する位置に数字以外の記号を表示することにより、当該告知放送信号のＲＦレベルを表示するので、告知放送信号のＲＦレベルの違いを一層識別可能に提示でき、告知放送信号の入力レベルに関する情報をユーザが一層容易に確認できる。
【００７０】
また、状態表示部３７ｄは、当該告知放送用受信機３０の電源がＯＮ状態になった場合、又は受信部３０の図示しない検波ＩＣにて検出された告知放送信号のＲＦレベルが所定レベル以上変動した場合に、受信部３０の図示しない検波ＩＣにて検出された告知放送信号の入力レベルに関する情報を所定時間表示するので、ユーザに対して告知放送信号の入力レベルに関する情報を確認させることができ、告知放送信号の異常に対してユーザが迅速な措置をとることができる。
【００７１】
また、状態表示部３７ｄは、告知放送信号のＲＦレベルが受信状態記録部４０に記憶されたタイミングに基づいて、告知放送信号の入力レベルに関する情報を所定順序で表示するので、ユーザに対して告知放送信号の入力レベルに関する情報の所定時間ごとの変動を提示することができ、告知放送信号の異常が生じた時期を特定することができる。
【００７２】
また、状態表示部３７ｄは、受信部３０が告知放送信号以外の信号を受信した場合に、その旨を数字以外の記号、かつ告知放送信号のＲＦレベルを表示する記号以外の記号で表示するので、ユーザに対して告知放送信号等以外の信号を受信したことを識別可能に提示でき、告知放送信号の入力レベルに関する情報以外の情報をユーザが容易に確認できる。
【００７３】
また、状態表示部３７ｄは、受信部３０の図示しない検波ＩＣがラジオ放送信号のＲＦレベルを検出した後、当該ラジオ放送信号の入力レベルに関する情報を記号で表示するので、ユーザに対してラジオ放送信号の入力レベルに関する情報を識別可能に提示でき、ラジオ放送信号の入力レベルに関する情報をユーザが容易に確認できる。
【００７４】
また、状態表示部３７ｄは、１桁の７セグメント表示を行う７セグメントＬＥＤからなるので、状態表示部３７ｄをシンプルかつ安価に構成することができ、当該告知放送用受信機３０の外観の維持や低コスト化を図ることができる。
【００７５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７７】
（分散や統合について）
上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。
【００７８】
（状態表示部について）
上述した実施の形態では、状態表示部３７ｄは、公知の１桁の７セグメント表示及びドット表示を行う７セグメントＬＥＤを備えて構成されると説明したが、上述した実施の形態の処理に限定されない。例えば、状態表示部３７ｄは、告知放送信号又はラジオ放送信号の入力レベルに関する情報をテキスト形式で表示する液晶ディスプレイを備え構成されてもよい（例えば、告知放送信号のＲＦレベルが４５ｄＢの場合に、「４５ｄＢ」を表示する）。あるいは、状態表示部３７ｄは、告知放送信号又はラジオ放送信号の入力レベルに関する情報を複数の点灯又は点滅パターンで表示する複数のＬＥＤ表示灯を備えて構成されてもよい（例えば、ＬＥＤ表示灯が１０個の場合であって、告知放送信号のＲＦレベルが４５ｄＢの場合に、一方の端部から中心に向けて連続する４個（ここでは、ＬＥＤ表示灯１個あたり１０ｄＢを示す）のＬＥＤ表示灯を点灯する）。
【００７９】
（表示処理について）
上述した実施の形態では、ＳＡ９の処理後において、ＳＡ１にて受信した告知放送信号又はラジオ放送信号を、受信部３０が継続して受信する場合には、制御部３８はＳＡ１０〜ＳＡ１５の処理を継続して実行すると説明したが、上述した実施の形態の処理に限定されない。例えば、ＳＡ１にて受信部３０がラジオ放送信号を受信した後、制御部３８がＳＡ１０〜ＳＡ１５の処理を実行している際に、告知再生スイッチ３１がユーザによって押下された場合には、制御部３８はＳＡ１に移行してもよい。あるいは、ＳＡ１にて受信部３０が告知放送信号を受信した後、制御部３８がＳＡ１０〜ＳＡ１５の処理を実行している際に、ラジオ再生スイッチ３２がユーザによって押下された場合には、制御部３８はＳＡ１に移行してもよい。また、ＳＡ１にて受信部３０がラジオ放送信号を受信した後、制御部３８がＳＡ１０〜ＳＡ１５の処理を実行している際に、ラジオ再生スイッチ３２がユーザによって押下されて、ラジオ放送信号の受信チャンネルが変更された場合には、制御部３８はＳＡ１に移行してもよい。
【００８０】
また、上述した実施の形態では、ＳＡ９にて所定時間が経過した場合（ＳＡ９、Ｙｅｓ）、ＳＡ１０にて制御部３８が所定のタイミングが到来するまで待機すると説明したが、例えば、ＳＡ１０の処理を省略してもよい。これにより、ＳＡ１４にて告知放送信号又はラジオ放送信号のＲＦレベルが表示される回数が増加するので、ユーザに対して告知放送信号又はラジオ放送信号の入力レベルに関する情報を一層確認させることができる。
【００８１】
（履歴表示処理について）
【００８２】
上述した実施の形態では、告知再生スイッチ３１が履歴表示指示を受け付けた場合に、制御部３８は、受信状態記録部４０に記憶された告知放送信号又はラジオ放送信号の入力レベルに関する情報を、状態表示部３７ｄによって所定順序で表示させると説明したが、これに限られない。例えば、ラジオ再生スイッチ３２がラジオ放送信号の受信チャンネルの変更指示を受け付けた後、制御部３８が状態表示部３７ｄによって当該ラジオ放送信号の受信チャンネルを表示させた場合に、その後、制御部３８は、受信状態記録部４０に記憶されたラジオ放送信号の入力レベルに関する情報を、状態表示部３７ｄによって所定順序で表示させてもよい。
【００８３】
また、上述した実施の形態では、制御部３８は、第１の表示方法又は第２の表示方法により、受信状態記録部４０から取得された告知放送信号又はラジオ放送信号の入力レベルに関する情報を、状態表示部３７ｄによって、受信状態記録部４０に記憶されてからの経過日数の古い順に表示すると説明したが、これに限られない。例えば、制御部３８は、当該告知放送信号又はラジオ放送信号の入力レベルに関する情報を、当該受信状態記録部４０に記憶されてからの経過日数の新しい順に表示させてもよい。
（付記）
付記１の告知放送用受信機は、告知放送信号を受信する受信手段と、前記受信手段が告知放送信号を受信した場合に、当該受信した告知放送信号の入力レベルを検出する検出手段と、前記検出手段が前記告知放送信号の入力レベルを検出した後、当該検出した告知放送信号の入力レベルに関する情報を記号で表示する表示手段とを備える。
また、付記２の告知放送用受信機は、付記１に記載の告知放送用受信機において、前記表示手段は、前記検出手段にて検出された前記告知放送信号の入力レベルが所定の適正レベルの範囲内である場合に、当該告知放送信号の入力レベルを数字で表示し、前記検出手段にて検出された前記告知放送信号の入力レベルが前記所定の適正レベルの範囲外である場合に、その旨を数字以外の記号で表示する。
また、付記３の告知放送用受信機は、付記１に記載の告知放送用受信機において、前記表示手段は、前記告知放送信号の入力レベルに基づいて定められた複数の位置の中の前記検出手段にて検出された前記告知放送信号の入力レベルに対応する位置に数字以外の記号を表示することにより、当該告知放送信号の入力レベルを表示する。
また、付記４の告知放送用受信機は、付記１から３のいずれか一項に記載の告知放送用受信機において、前記表示手段は、当該告知放送用受信機の電源がＯＮ状態になった場合、又は前記検出手段にて検出された前記告知放送信号の入力レベルが所定レベル以上変動した場合に、前記検出手段にて検出された前記告知放送信号の入力レベルに関する情報を所定時間表示する。
また、付記５の告知放送用受信機は、付記１から４のいずれか一項に記載の告知放送用受信機において、前記検出手段にて検出された前記告知放送信号の入力レベルを記憶する記憶手段を備え、前記表示手段は、前記記憶手段にて記憶された前記告知放送信号の入力レベルに関する情報を、当該入力レベルが前記記憶手段に記憶されたタイミングに基づいて所定順序で表示する。
また、付記６の告知放送用受信機は、付記２から５のいずれか一項に記載の告知放送用受信機において、前記受信手段が告知放送信号以外の信号を受信した場合に、その旨を数字以外の記号、かつ前記告知放送信号の入力レベルを表示する記号以外の記号で表示する。
また、付記７の告知放送用受信機は、付記１から６のいずれか一項に記載の告知放送用受信機において、前記告知放送信号及びラジオ放送信号を受信し、前記検出手段は、前記受信手段がラジオ放送信号を受信した場合に、当該受信したラジオ放送信号の入力レベルを検出し、前記表示手段は、前記検出手段が前記ラジオ放送信号の入力レベルを検出した後、当該検出したラジオ放送信号の入力レベルに関する情報を記号で表示する。
また、付記８の告知放送用受信機は、付記１から７のいずれか一項に記載の告知放送用受信機において、前記表示手段は、１桁の７セグメント表示を行う７セグメントＬＥＤからなる。
（付記の効果）
付記１に記載の告知放送用受信機によれば、表示手段は、検出手段が告知放送信号の入力レベルを検出した後、当該告知放送信号の入力レベルに関する情報を記号で表示するので、ユーザに対して告知放送信号の入力レベルに関する情報を識別可能に提示でき、告知放送信号の入力レベルに関する情報をユーザが容易に確認できる。
また、付記２に記載の告知放送用受信機によれば、表示手段は、検出手段にて検出された告知放送信号の入力レベルが所定の適正レベルの範囲内である場合に、当該告知放送信号の入力レベルを数字で表示し、検出手段にて検出された告知放送信号の入力レベルが所定の適正レベルの範囲外である場合に、その旨を数字以外の記号で表示するので、ユーザに対して告知放送信号の入力レベルの違いを一層識別可能に提示できると共に、告知放送信号の入力レベルが所定の適正レベルの範囲内であるか否かを容易に識別でき、告知放送信号の入力レベルに関する情報をユーザが一層容易に確認できる。
また、付記３に記載の告知放送用受信機によれば、表示手段は、告知放送信号の入力レベルに基づいて定められた複数の位置の中の検出手段にて検出された告知放送信号の入力レベルに対応する位置に数字以外の記号を表示することにより、当該告知放送信号の入力レベルを表示するので、告知放送信号の入力レベルの違いを一層識別可能に提示でき、告知放送信号の入力レベルに関する情報をユーザが一層容易に確認できる。
また、付記４に記載の告知放送用受信機によれば、表示手段は、当該告知放送用受信機の電源がＯＮ状態になった場合、又は検出手段にて検出された告知放送信号の入力レベルが所定レベル以上変動した場合に、検出手段にて検出された告知放送信号の入力レベルに関する情報を所定時間表示するので、ユーザに対して告知放送信号の入力レベルに関する情報を確認させることができ、告知放送信号の異常に対してユーザが迅速な措置をとることができる。
また、付記５に記載の告知放送用受信機によれば、表示手段は、告知放送信号の入力レベルが記憶手段に記憶されたタイミングに基づいて、当該記憶手段に記憶された告知放送信号の入力レベルに関する情報を所定順序で表示するので、ユーザに対して告知放送信号の入力レベルに関する情報の所定時間ごとの変動を提示することができ、告知放送信号の異常が生じた時期を特定することができる。
また、付記６に記載の告知放送用受信機によれば、表示手段は、受信手段が告知放送信号以外の信号を受信した場合に、その旨を数字以外の記号、かつ告知放送信号の入力レベルを表示する記号以外の記号で表示するので、ユーザに対して告知放送信号等以外の信号を受信したことを識別可能に提示でき、告知放送信号の入力レベルに関する情報以外の情報をユーザが容易に確認できる。
また、付記７に記載の告知放送用受信機によれば、表示手段は、検出手段がラジオ放送信号の入力レベルを検出した後、当該ラジオ放送信号の入力レベルに関する情報を記号で表示するので、ユーザに対してラジオ放送信号の入力レベルに関する情報を識別可能に提示でき、ラジオ放送信号の入力レベルに関する情報をユーザが容易に確認できる。
また、付記８に記載の告知放送用受信機によれば、表示手段は、１桁の７セグメント表示を行う７セグメントＬＥＤからなるので、表示手段をシンプルかつ安価に構成することができ、当該告知放送用受信機の外観の維持や低コスト化を図ることができる。
【符号の説明】
【００８４】
１  告知放送システム
２  センター装置
３  告知放送用受信機
９  伝送系統
３０  受信部
３１  告知再生スイッチ
３２  ラジオ再生スイッチ
３３  音声切換え部
３４  音量調整部
３４ａ  ボリュームスイッチ
３５、９２  アンプ
３６  スピーカ
３７  表示部
３７ａ  電源表示灯
３７ｂ  緊急放送表示灯
３７ｃ  一般放送表示灯
３７ｄ  状態表示部
３７ｅ  告知再生表示灯
３７ｆ  ラジオ再生表示灯
３８  制御部
３９  音声情報格納部
４０  受信状態記録部
４０ａ  ＲＦレベル履歴テーブル
４１  筐体
４１ａ  正面カバー
４１ｂ  背面カバー
４２  音響孔
５１  アンテナ
９０  ヘッドエンド
９１  伝送線路
９３  分配増幅器
９４  分配器
９５  保安器
【図１】
0005722662.tif 000002
【図２】
0005722662.tif 000003
【図３】
0005722662.tif 000004
【図４】
0005722662.tif 000005
【図５】
0005722662.tif 000006
【図６】
0005722662.tif 000007
【図７】
0005722662.tif 000008